(57)【要約】【課題】医療施設が有する診療科において使用可能な人的資源の有無、並びに診断装置などの該医療施設における設備の使用の可否の組み合わせを基に、外来の受付が可能か否かの情報を提供する外来受付情報提供装置を提供する。【解決手段】医療施設００１に配置された医用情報システム００２から、医療施設００１における各診療科目を担当する医師の出退勤及び外来の空き状況を含む管理情報を取得し、並びに各診断装置００３から診断装置００３の利用の可否を含む装置情報を取得する情報取得部１０１と、管理情報及び装置情報を基に医療施設００１における診療科目毎の外来の受付の可否を判断する受付可否判断部１０２と、外来の受付の可否の情報を出力する出力部１０３とを備える。【選択図】図１
2009110242.tif 000002
【特許請求の範囲】
【請求項１】
医療施設に配置された医用情報システムから、該医療施設における各診療科目を担当する医師の出退勤及び外来の空き状況を含む管理情報を取得し、並びに各診断装置から該診断装置の利用の可否を含む装置情報を取得する情報取得手段と、
前記管理情報及び前記装置情報を基に該医療施設における診療科目毎の外来受付の可否を判断する受付可否判断手段と、
前記外来受付の可否の情報を出力する出力手段と、
を備えることを特徴とする外来受付情報提供装置。
【請求項２】
前記受付可否判断手段は、
前記医療施設が有する診療科目、各前記診療科目を担当する医師の識別情報、及び前記各診療科の診断に必要とされる前記診断装置の識別情報とを含む情報の組み合わせが予め記載されたテーブルを有し、該テーブルを参照することで前記医療施設の各診療科の外来受付が可能か否かを判断する
ことを特徴とする請求項１に記載の外来受付情報提供装置。
【請求項３】
前記情報取得手段は、前記医用情報システム又は前記診断装置において情報の更新がなされた時に、対応する管理情報又は装置情報を再取得することを特徴とする請求項１又は請求項２に記載の外来受付情報提供装置。
【請求項４】
前記情報取得手段は、所定時間の経過毎に管理情報及び装置情報を再取得することを特徴とする請求項１又は請求項２に記載の外来受付情報提供装置。
【請求項５】
前記出力手段は、前記情報をネットワークで読み出し可能に出力することを特徴とする請求項１乃至４のいずれか一つに記載の外来受付情報提供装置。
【請求項６】
複数の医療施設がネットワークを介して接続されている外来受付情報提供システムであって、
前記医療施設は、
前記ネットワークに繋がれた医用情報システムと、
前記ネットワークに繋がれた検査装置と、
医療施設に配置された医用情報システムから、該医療施設における各診療科目を担当する医師の出退勤、及び外来の空き状況を含む管理情報を取得し、及び各診断装置から該診断装置の利用の可否を含む装置情報を取得する情報取得手段と、
前記管理情報及び前記装置情報を基に該医療施設における診療科目毎の外来受付の可否を判断する受付可否判断手段と、
前記複数の医療施設と前記ネットワークを介して接続され、操作者の入力に基づく診療科の情報を受けて、複数の該診療を行える前記医療施設から前記外来受付の可否の情報を受信して、それをもとに、該診療科が外来受付可能な前記医療施設を抽出し出力する医療施設抽出手段と
を備えることを特徴とする外来受付情報提供システム。
【請求項７】
前記医療施設抽出手段は、
症例と該症例の者が受診すべき前記診療科との組み合わせが予め記載されたテーブルを有し、操作者からの前記症例の入力を受けて前記テーブルを参照することで前記診療科を判断する
ことを特徴とする請求項６に記載の外来受付情報提供システム。
【請求項８】
前記医療施設抽出手段は、
予め前記各医療施設の住所を記憶しており、操作者からの現在地の情報に基づき、該現在地から近い前記医療施設を優先的に抽出し表示する
ことを特徴とする請求項６又は請求項７に記載の外来受付情報提供システム。
【発明の詳細な説明】
【技術分野】
【０００１】
本発明は、特定の医療施設で外来が受け入れ可能かどうかの情報を提供する外来受付情報提供装置及び外来受付情報提供システムに関する。さらに詳しくは、特定の医療施設における救急時の部門単位での受け入れ情報を提供する装置及びシステムに関する。
【背景技術】
【０００２】
怪我や病気などで患者が病院に掛かろうとしても、その時点でどの病院でその怪我や病気に対応することが可能か、すなわち該患者が受付可能な病院が分からなければ、どの病院に行けば良いのか不明である。このように受付可能な医療施設が分からない場合には、患者は適切な処置を受けることが困難になってしまう。また、受付可能な病院を探して、該患者がたらいまわしされることにより処置が遅れてしまうおそれもある。
【０００３】
そこで、受付可能な病院がわかっていない場合には、医療施設に直接受付可能かの問い合わせを行うか、医療施設に直接出向き受診可能かを確認する必要があった。さらに、どの病院に掛かるべき診療科があるかが分かっていても、その診療科に実際に処置が行える医者などの人的リソースがあるか、処置を行うためのベッドが空いているか、また、その診療科に必要なＭＲＩやＣＴなどの診断装置が設置されているか、さらに設置されていても故障していたりメンテナンス中であったりした場合使用できないため、その診断装置が使用可能かを知る必要がある。
【０００４】
そこで従来、施設の場所と診察を行っている部門を公の機関に事前登録しておき、どの医療施設が受付可能かは公報などを参照して探すことが行われていた。また、外部からの問い合わせに対しては、各医療施設が情報システム内に保持している当直管理の情報提供などが行われていた。さらに、受診したい診療科の情報を提供する技術（例えば、特許文献１参照。）が提案されている。
【０００５】
【特許文献１】特開２００４−３１０５１０号公報
【発明の開示】
【発明が解決しようとする課題】
【０００６】
しかし、事前登録に基づく公の情報では「小児」と「一般」といった大まかな診療科の情報しかなく、受診を想定する部門の受診可否を確認することは困難である。また、特許文献１に記載の技術によっても、必要とする診療科目を有する病院は把握できるが、現在のベッドの空き状況や、現在の診断装置が使用可能か否かの情報などが分からないため、その病院で実際に受け入れる状況が整っているか否かを判断することは困難である。
【０００７】
この発明は、このような事情に鑑みてなされたもので、医療施設が有する診療科及びその診療科において使用可能な人的資源の有無、並びに診断装置などの該医療施設における設備の使用の可否の組み合わせを基に、外来の受付が可能か否かの情報を提供する外来受付情報提供装置を提供することを目的としている。
【課題を解決するための手段】
【０００８】
上記目的を達成するために、請求項１に記載の外来受付情報提供装置は、医療施設に配置された医用情報システムから、該医療施設における各診療科目を担当する医師の出退勤及び外来の空き状況を含む管理情報を取得し、並びに各診断装置から該診断装置の利用の可否を含む装置情報を取得する情報取得手段と、前記管理情報及び前記装置情報を基に該医療施設における診療科目毎の外来受付の可否を判断する受付可否判断手段と、前記外来受付の可否の情報を出力する出力手段と、を備えることを特徴とするものである。
【０００９】
請求項６に記載の外来受付情報提供システムは、複数の医療施設がネットワークを介して接続されている外来受付情報提供システムであって、前記医療施設は、前記ネットワークに繋がれた医用情報システムと、前記ネットワークに繋がれた検査装置と、医療施設に配置された医用情報システムから、該医療施設における各診療科目を担当する医師の出退勤、及び外来の空き状況を含む管理情報を取得し、及び各診断装置から該診断装置の利用の可否を含む装置情報を取得する情報取得手段と、前記管理情報及び前記装置情報を基に該医療施設における診療科目毎の外来受付の可否を判断する受付可否判断手段と、前記複数の医療施設と前記ネットワークを介して接続され、操作者の入力に基づく診療科の情報を受けて、複数の該診療を行える前記医療施設から前記外来受付の可否の情報を受信して、それをもとに、該診療科が外来受付可能な前記医療施設を抽出し出力する医療施設抽出手段とを備えることを特徴とするものである。
【発明の効果】
【００１０】
請求項１に記載の外来受付情報提供装置によると、特定の医療施設において、該医療施設が有するそれぞれの診療科が現在外来患者を受け付けることができるか否かの情報を提供することができる。これにより、急病患者や救急隊員など緊急に外来を受け付けて欲しいと望む者は、受診しようとする診療科の受け入れが現在可能な医療施設を容易に見つけることが可能となる。
【００１１】
請求項６に記載の外来受付情報提供システムによると、複数の医療施設の中から、特定の診療科を有し、その診療科が現在外来患者の受付が可能な医療施設を抽出することができる。これにより、急病患者や救急隊員など緊急に外来を受け付けて欲しいと望む者は、複数ある医療施設の中から、受診しようとする診療科の受け入れが現在可能な医療施設を容易に見つけることが可能となる。
【発明を実施するための最良の形態】
【００１２】
〔第１の実施形態〕
以下、この発明の外来受付情報提供装置に係る第１の実施形態について説明する。図１は本実施形態に係る外来受付情報提供装置の機能を表すブロック図である。
【００１３】
医療施設００１には、本発明に係る外来受付情報提供装置１００、医用情報システム００２、及び診断装置００３が配置されている。さらに、医用情報システム００２と診断装置００３、及び外来受付情報提供装置１００は、ネットワークを介して相互に接続されている。
【００１４】
医用情報システム００２は、ＲＩＳやＨＩＳといった医療施設００１の各種情報、具体的には医療施設００１にある診療科の種類、各診療科の医者の出退勤の記録、各診療科の医者が現在診療をしているか否か、及び検査の受付及び終了の情報などといった該医療施設００１における管理情報を管理しているシステムである。また、診断装置００３は、ＭＲＩ装置、Ｘ線ＣＴ装置、超音波診断装置、Ｘ線診断装置などといった患者の診断を行う装置である。これら診断装置００３は、それぞれ、自己が起動しているか否かの情報を出力する。また、診断装置００３は、メンテナンス中の場合にはメンテナンスモードに入り、メンテナンスモードでの動作中という情報を出力する。
【００１５】
外来受付情報提供装置１００は、情報取得部１０１、受付可否判断部１０２、及び出力部１０３で構成されている。さらに出力部１０３はネットワークで医療施設００１の外部に接続されている。
【００１６】
受付可否判断部１０２は、ハードディスクなどの記憶領域を有しており、予めその記憶領域に医療施設００１が有する各診療科目、各診療科の担当の医者の識別情報、その診療科において診断に用いられる診断装置００３の識別情報、との組み合わせが記載された受付可否判断テーブル１０４を記憶している。この受付可否判断テーブル１０４は図２に示すようなテーブルである。ここで、図２は受付可否判断テーブル１０４の一例の図である。診療科の種類（診療科目２０１）としては図２に示すように、内科、外科、泌尿器科、産婦人科、眼科、皮膚科、耳鼻咽喉科、歯科口腔外科などがある。ここで、本実施形態では、診療科目２０１として大きく分類した診療科を記載しているが、これはさらに細かく科を分けてもよい。例えば、外科ならば、脳神経外科、呼吸器外科、心臓外科などに分けたものを診療科目として分類してもよい。このように細かく分けることで、より症状に適した診療科の情報を提供することが可能となる。また、医者の識別情報としては担当医師名２０２が記載されている。ここで、本実施形態では医者の名前を識別情報として用いているが、医者のＩＤなど他の各医者固有の情報であれば他の情報でもよい。また、モダリティ（診断装置）２０３としては、図２に示すように、超音波診断装置、Ｘ線ＣＴ装置、ＭＲＩ装置、Ｘ線診断装置などがある。ここで記載されているモダリティ（診断装置）２０３は、診療科目２０１で診断を行うために必要な診断装置である。言い換えれば、モダリティ（診断装置）２０３が使用可能でなければ対応する診療科での診療が行えないものである。この受付可否判断テーブル１０４に記載されている情報である診療科目２０１、担当医師名２０２、及び診断装置２０３は医療施設００１内の情報の中で固定の情報（時々刻々と移り変わるものではない情報。）である。
【００１７】
受付可否判断部１０２は、情報取得部１０１から入力された管理情報及び装置情報を基に受付可否判断テーブル１０４を参照して、医療施設００１のどの診療科が外来の受付が可能かを判断する。例えば、管理情報としてＤ医師が出勤、Ｉ医師が退勤という情報、及びＨ医師の検査受付の情報が入力され、装置情報として、Ｘ線ＣＴ及びＸ線診断装置が起動中であり、超音波診断装置がメンテナンスモードで動作中との情報が入力された場合で説明する。受付可否判断部１０２は、外科の担当であるＤ医師が出勤しており、外科で必要な診断装置２０３であるＸ線ＣＴとＸ線診断装置が起動しているので外科は外来の受付が可能と判断する。また、受付可否判断部１０２は、Ｉ医師が退勤しているので産婦人科は外来の受付が不可能、Ｈ医師が検査に入っているので他の検査が受けられないため泌尿器科の外来受付は不可能、超音波診断装置がメンテナンスモードで動作していることからメンテナンス中であり実際の診断には使用できないことから、産婦人科は外来の受付が不可能と判断する。ここで、本実施形態では各診療科において外来の受付が可能か否かを判断するために、診療可能な担当医師の存否及び検査の受付と終了、並びに診断装置の使用の可否を基に判断を行っているが、医療施設００１において外来を受け付けるために必要だと思われる情報であれば他の情報を外来の受付が可能か否かの判断材料として加えてもよい。例えば、ベッドの空き状況などを加えることで、入院が行えるか否かの判断をも可能とする構成にしてもよい。
【００１８】
受付可否判断部１０２は、医療施設００１の各診療科における外来の受付の可否を出力部１０３に送信する。この受付可否判断部１０２は、本発明における「受付可否判断手段」にあたる。
【００１９】
情報取得部１０１は、医用情報システム００２から医療施設００１にある各診療科の医者の出退勤の記録、及び検査の受付及び終了の情報などといった、受付可否判断部１０２での外来受付の可否判断に必要な医療施設００１における管理情報を所定時間経過毎に取得する。ここで、検査の受付及び終了によって「外来の空き状況」が判断できる。すなわち、検査の受付が行われて終了していなければ医師は診察中であり、検査が終了していれば医師は手が空いていると判断できる。また、情報取得部１０１は、診断装置００３から起動しているか否かの情報や修理中であるとの情報（メンテナンスモード）などといった、受付可否判断部１０２での外来受付の可否判断に必要な装置情報を所定時間経過毎に受信する。これは、診断装置００３が起動していなければ故障しており使用不可であるとの判断ができ、起動していても修理中であれば該診断装置００３は使用不可であるとの判断ができる。
【００２０】
情報取得部１０１は受付可否判断部１０２に取得した情報を出力する。この情報取得部１０１は本発明における「情報取得手段」にあたる。ここで、本実施形態では担当の医師が病院内にいて診療を行える状態かを判断するために、医者の出退勤及び検査の受付及び終了の情報を使用しているが、医師が診療を行える状態にあるか否かを判断する情報であれば他の情報を使用してもよい。また、診断装置００３が使用できる状態にあるか否かを判断するために、該診断装置００３が起動しているか、メンテナンスモードかの情報を使用しているが、これは、診断装置００３が使用できる状態にあるか否かを判断できる情報であれば他の情報を使用してもよい。上述のように他の情報を使用して医師の診療の可否及び診断装置００３の使用の可否を判断する場合には、情報取得部１０１がその使用する情報を医用情報システム００２から取得する構成となる。そして、これら医師が診断を行える状態であるかという情報及び装置が使用可能であるかという情報は、医療施設００１において時間とともに移り変わる情報である。この時間とともに移り変わる情報を判断基準とすることで、外来の受付が可能か否かの判断を行うことができる。本実施形態では、情報取得部１０１による医用情報システム００２又は診断装置００３からの情報の再取得のタイミングを所定時間経過後としているが、これは、医用情報システム００２又は診断装置００３から情報の更新が行われたという通知を受けた場合に、情報取得部１０１が通知をした側に対応する管理情報又は装置情報を再取得する構成でもよい。このように、所定時間の経過毎又は情報の更新が行われたタイミングで情報取得部１０１が時間とともに移り変わる情報の再取得を行うことで、医療施設００１における外来受付の現状を把握することが可能となる。こうすることで、緊急外来の受付の可否をリアルタイムで提供することが可能となる。
【００２１】
出力部１０３は、受けた医療施設００１の各診療科における外来の受付の可否の情報を、予め決められたフォーマットに直し出力する。この出力は、例えばデータとしてネットワーク上に出力され、患者や救急隊員が端末で参照できるようにすることが好ましい。出力されるデータとしては図３に示すような一覧が出力される。ここで、図３は各診療科における外来受付の可否の情報を表わす出力の一例の図である。図３に示すように、医療施設００１が有している診療科３０１毎に、受付可否３０２が表わされている。受付可否３０２は○であれば外来の受付が可能で、受付可否３０２が×であれば外来の受付ができないことを表わしている。この出力部１０３が本発明における「出力手段」にあたる。
【００２２】
次に、図４を参照して本実施形態に係る外来受付情報提供装置の外来受付の可否判断の流れについて説明する。ここで、図４は本実施形態に係る外来受付情報提供装置の外来受付の可否判断のフローチャートの図である。
【００２３】
ステップＳ００１：情報取得部１０１は、医用情報システム００２から医療施設００１にある各診療科の医者の出退勤の記録、及び検査の受付及び終了の情報などといった医療施設００１における管理情報を取得し、診断装置００３から起動しているか否かの情報やメンテナンスモードである旨の情報といった装置情報を取得する。さらに、情報取得部１０１は、受付可否判断部１０２に管理情報及び装置情報を送信する。
【００２４】
ステップＳ００２：受付可否判断部１０２は、受付可否判断テーブル１０４を参照する。
【００２５】
ステップＳ００３：受付可否判断部１０２は、情報取得部１０１から入力された管理情報及び装置情報を基に、医療施設００１の各診療科が外来の受付が可能か否かを判断する。さらに、受付可否判断部１０２は、医療施設００１の各診療科が外来の受付が可能か否かの情報を出力部１０３に送信する。
【００２６】
ステップＳ００４：出力部１０３は、受診した医療施設００１の各診療科が外来の受付が可能か否かの情報を、予め決められたフォーマットに直しインターネットなどのネットワーク上に出力する。
【００２７】
以上で説明したように、本実施形態に係る外来受付情報提供装置は、医療施設において時々刻々と変わって行く人的リソースや及び診断装置などの使用の可否に基づいて、該医療施設の各診療科での外来の受付の可否を判断しその結果を患者や救急隊員に提供することができる。これにより、緊急外来として診療を受けたい患者や、その患者を搬送する救急隊員などは、ネットワーク経由でホームページなどで提供される情報を参照することで、特定の医療施設が外来の受け入れが可能か否かを容易かつ正確に判断することが可能となる。
【００２８】
〔第２の実施形態〕
以下、この発明の外来受付情報提供装置及びそれを使用した外来受付情報提供システムに係る第２の実施形態について説明する。図５は本実施形態に係る外来受付情報提供装置のネットワークの構成を表わす図である。図５に示すように、各医療施設００１ａ、００１ｂ、及び００１ｃ（以下では、各医療施設を区別せずに表わす場合には単に「医療施設００１」という。）はネットワークにそれぞれ繋がっている。さらに、図５に示す医療施設００１ａ、００１ｂ、及び００１ｃは第１の実施形態における外来受付情報提供装置と同じものである。そこで、以下では、各医療施設００１ａ、００１ｂ、及び００１ｃから各診療科の外来の受け入れの可否の情報が出力された場合で説明する。
【００２９】
診療を受けたい患者、又はその患者を搬送する救急隊員などが、端末５０１を使用して、患者の症例又は受診したい診療科目、性別、並びに現在地などを入力する。ここで、端末５０１はＰＣなどである。そして、端末５０１は、ネットワークを介して医療施設抽出部５００に接続されている。
【００３０】
医療施設抽出部５００は、ネットワークを介して接続されている各医療施設００１ａ、００１ｂ、及び００１ｃから送られてきた各診療科の外来の受け入れの可否の情報を受信する。
【００３１】
医療施設抽出部５００は、症例とその症例の場合に診察を受けるべき診療科の対応を表わす図５に示すような診療科判断テーブルを有している。ここで、図６は診療科判断テーブルの一例の図である。図６に示すように、診療科判断テーブルは症例６０１として、盲腸、骨折などの具体的な症例と、その症例の場合に受診すべき診療科６０２との対応が記載されている。例えば、症例６０１が盲腸の場合には受診すべき診療科６０２は内科であり、症例６０１が骨折の場合には受診すべき診療科６０２は外科である。医療施設抽出部５００は、端末５０１から症例が入力された場合、診療科判断テーブルを参照し、その症例の患者が診療を受けるべき診療科を判断する。
【００３２】
ここで、医療施設抽出部５００は、予め各医療施設００１の住所を記憶し、さらに各市町村の近隣の市町村はどれかといった各市町村の位置関係を記憶しいている。また、医療施設抽出部５００は、予め抽出する受付可能な医療施設００１の数ｍを記憶している。そして、医療施設抽出部５００は、入力された現在地からより近い場所にある医療施設００１を抽出する。この抽出方法としては、医療施設抽出部５００は、現在地の市町村名を基に記憶している医療施設００１の住所を検索し、同じ市町村内にある医療施設００１を抽出し、その抽出した各医療施設００１が外来受付が可能かを判断する。さらに、抽出した外来受付が可能な医療施設００１の数がｍより少ないもしくは抽出されない場合には、医療施設抽出部５００は、記憶している各市町村の位置関係から現在地の市町村の近隣にある市町村を抽出し、その抽出した近隣の市町村にある医療施設００１を抽出し、その抽出した各医療施設００１が外来受付が可能かを判断する。さらに、抽出した外来受付が可能な医療施設００１の数がｍより少ないもしくは抽出されない場合には、入力された現在地の都道府県名を基に記憶している医療施設００１の住所を検索し、同じ都道府県にある医療施設００１を抽出し、その抽出した各医療施設００１が外来受付が可能かを判断する。このようにして、医療施設抽出部５００は、現在地からなるべく近い距離にある医療施設００１を抽出できる。これにより、患者は短時間で診療を受けることが可能になる。ここで、本実施形態では地名を用いて住所から近くにある医療施設００１を検索したが、これは他の方法でもよく、ＧＰＳからの位置情報などを用いて現在地から各医療施設００１までの距離を算出することでより現在地の近くにある医療施設００１を抽出する方法でもよい。
【００３３】
ここで、本実施形態では、医療施設抽出部５００は、現在地の情報からなるべく近い医療施設００１を抽出しているが、この抽出を行わずに予め決められた市町村又は都道府県などの医療施設００１を抽出するように構成してもよい。
【００３４】
医療施設抽出部５００は、端末５０１から入力された診療科又は端末５０１から入力された症例から判断した診療科、患者の性別、及び近隣にある医療施設００１の情報を基に、各医療施設００１ａ、００１ｂ、及び００１ｃから送られてきた各診療科の外来の受け入れの可否の情報から必要な診療科の外来の受け入れが可能な医療施設００１を抽出する。
【００３５】
医療施設抽出部５００は、抽出した医療施設００１の情報を、ネットワークを介して端末５０１上に患者又は救急隊員などが参照できるように出力する。この医療施設抽出部５００が本発明における「医療施設抽出手段」にあたる。
【００３６】
次に、図７を参照して本実施形態に係る外来受付情報提供装置又は外来受付情報提供システムの外来受付の可能な医療施設の情報提供の流れについて説明する。ここで、図７は本実施形態に係る外来受付情報提供装置又は外来受付情報提供システムにおける外来受付が可能な医療施設の情報提供のフローチャートの図である。
【００３７】
ステップＳ１０１：患者又は患者を搬送する救急隊員などが端末５０１を使用して、症例又は診療科、患者の性別、及び現在地を入力し、医療施設抽出部５００に外来受付可能な医療施設００１を問い合わせる。
【００３８】
ステップＳ１０２：医療施設抽出部５００は、症例が入力されたか否かを判断する。症例が入力された場合にはステップＳ１０３に進み、症例ではなく診療科が入力された場合にはステップＳ１０４に進む。
【００３９】
ステップＳ１０３：医療施設抽出部５００は、入力された症例に基づいて図６に示すような診療科判断テーブルを参照し、該症例の患者が診療を受けるべき診療科を判断する。
【００４０】
ステップＳ１０４：医療施設抽出部５００は、入力された現在地を基に、予め記憶している医療施設００１の住所を参照し、抽出のレベルに合わせて、現在地と同じ市町村、現在地と近隣の市町村、又は現在地と同じ都道府県に存在する医療施設００１を抽出する。
【００４１】
ステップＳ１０５：医療施設抽出部５００は、入力された症例に基づく診療科又は入力された診療科、患者の性別、及び抽出した医療施設００１を基に、各医療施設００１における患者が受診すべき診療科の外来受付の可否を判断する。
【００４２】
ステップＳ１０６：医療施設抽出部５００は、抽出した外来受付が可能な医療施設００１が、予め記憶している抽出する数ｍを以上か否かを判断する。抽出した外来受付が可能な医療施設００１の数がｍ以上の場合にはステップＳ１０７に進み、抽出した外来受付が可能な医療施設００１の数がｍより少ない場合にはステップＳ１０４に進む。
【００４３】
ステップＳ１０７：医療施設抽出部５００は、抽出した外来受付が可能な医療施設００１をネットワーク上に出力する。
【００４４】
ステップＳ１０８：患者又は患者を搬送する救急隊員などが端末５０１を使用して、インターネットなどを利用して外来受付が可能な医療施設００１を確認する。
【００４５】
ここで、本実施形態では、より近い場所にあるなどといったより適確な医療施設００１の情報提供を行うために、症例又は診療科、性別、及び現在地の入力を受けて外来受付が可能な医療施設００１を抽出しているが、少なくとも症例又は診療科の入力をうける構成であれば本発明に係る外来受付情報提供装置及び外来受付情報提供システムは動作可能である。
【００４６】
以上で説明したように、本実施形態に係る外来受付情報提供装置及びそれを使用した外来受付情報提供システムは、入力された症例又は診療科に合わせて受診すべき診療科を有する医療施設の中から入力された時点で外来が受付可能である医療施設を抽出することができる。これにより、病気や怪我により診療を受けたい患者もしくはその患者を搬送する救急隊員などが、どの医療施設に行けば診療が受けられるかを迷うことがなくなる。すなわち、救急患者への迅速な診療に寄与することが可能となる。また、現在地から近い医療施設を優先的に表示することで、短時間で患者が診療を受けることが可能となる。
【図面の簡単な説明】
【００４７】
【図１】本発明に係る外来受付情報提供装置のブロック図
【図２】受付可否判断テーブルの一例の図
【図３】各診療科における外来受付の可否の情報を表わす出力の一例の図
【図４】第１の実施形態に係る外来受付情報提供装置の外来受付の可否判断のフローチャートの図
【図５】第２の実施形態に係る外来受付情報提供装置のネットワークの構成を表わす図
【図６】診療科判断テーブルの一例の図
【図７】第２の実施形態に係る外来受付情報提供装置又は外来受付情報提供システムにおける外来受付が可能な医療施設の情報提供のフローチャートの図
【符号の説明】
【００４８】
００１  医療施設
００２  医用情報システム
００３  診断装置
１００  外来受付情報提供装置
１０１  情報取得部
１０２  受付可否判断部
１０３  出力部
１０４  受付可否判断テーブル
【図１】
2009110242.tif 000003
【図２】
2009110242.tif 000004
【図３】
2009110242.tif 000005
【図４】
2009110242.tif 000006
【図５】
2009110242.tif 000007
【図６】
2009110242.tif 000008
【図７】
2009110242.tif 000009